(57)【要約】【課題】輻射による温度分布の均一化と複数方向からの気流を提供し、居住者の快適感や満足感の向上と、身体の温熱的な環境適応に対する負担の軽減を図ること。【解決手段】室内空間１を構成する面のうち少なくとも一つ以上の面が冷却または加熱される手段を有するパネル１１から構成され、かつこの室内空間１の異なる位置に複数の送風機２、３、４、５が設置され、前記送風機は吹出す気流の風速を可変するための手段を有する空気調和システムであって、パネル１１の熱放射によって室内空間１の温熱環境を制御して温度分布の均一化を図ることができ、かつ複数方向から風速が変動する気流が発生して居住者に適度な刺激を与えることができる。【選択図】図１
2007085660.tif 000002
【特許請求の範囲】
【請求項１】
室内空間を構成する面のうち少なくとも一つ以上の面が冷却または加熱される手段を有するパネルから構成され、かつこの室内空間の異なる位置に複数の送風機または複数の吹出し口を持つ送風機が設置され、前記送風機は吹出す気流の風速を可変するための手段を有することを特徴とする空気調和システム。
【請求項２】
送風機から吹出す気流の風向を可変するための手段を有する請求項１に記載の空気調和システム。
【請求項３】
パネル内部にパイプが埋設され、このパイプ内部に冷却または加熱された冷媒が循環する手段を有することを特徴とする請求項１または２に記載の空気調和システム。
【請求項４】
パネル内部に空間が設けられ、このパネル内部の空間に冷却または加熱された気流が送られる手段を有することを特徴とする請求項１または２に記載の空気調和システム。
【請求項５】
室内空間を構成する面のうち少なくとも一つ以上の面のパネル内部に空間が設けられ、このパネル内部の空間に冷却または加熱された気流が送られる手段を有し、かつこのパネルの室内空間側は異なる位置に複数の吹出し口を持ち、前記パネルの複数の吹出し口より室内空間に風速が可変する気流が送られる手段を有することを特徴とする空気調和システム。
【請求項６】
冷却または加熱された気流はまずパネル内部の空間に送られて、パネルを冷却または加熱した後に、任意の吹出し口より室内空間に送られることを特徴とする請求項５に記載の空気調和システム。
【請求項７】
複数の空気調和機を有し、前記複数の空気調和機にはそれぞれダクトが接続され、前記ダクトはそれぞれ室内空間に気流を送る少なくとも１つ以上の吹出し口へ通じる経路と、前記室内空間を構成し内部に空間を持つパネルへ気流を送る吹出し口へ通じる経路を有し、前記各経路の内、１つ以上に気流を送ることを選択する手段を有し、かつ前記複数の空気調和機は吹出す気流の風速をそれぞれ可変する手段を有することを特徴とする空気調和システム。
【請求項８】
室内空間に気流を送る複数の吹出し口の風向を可変する手段を有する請求項５〜７のいずれか１項に記載の空気調和システム。
【発明の詳細な説明】
【技術分野】
【０００１】
本発明は、熱放射を行うパネルにより室内空間の温熱環境を制御し、かつ複数の送風機または複数の吹出し口を有する送風機の風速風向制御によって風向が異なる変動気流を発生する空気調和システムに関するものである。
【背景技術】
【０００２】
従来、この種の空気調和システムは、熱放射システムに室内気流をスイングさせて組み合わせることにより温度分布を均一にし、かつスイング周期によって居住者の温冷感に影響を与えるものが考案されている（例えば、非特許文献１参照）。図１５は非特許文献１に記載されたシステムの構成を示すものである。図１５に示すように、天井放射パネル７の中央部にスイング式の吹出し口８が設けられ、室内空気を攪拌するようになっている。
【０００３】
また、例えば図１６に示されたように、複数の送風機の風量制御によって水平成分の風向が異なる複数の気流を発生させて、居住者の受ける気流の発生時間やそれらの割合、各風向変化特性が、それぞれ居住者にとって最も快適な気流を生成し、より自然で快適な風向及び風速の変化特性の気流環境を生成しているものもある（例えば、特許文献１参照）。
【０００４】
図１６は、特許文献１に記載された従来の送風システムの構成を示すものである。図１６に示すように、部屋１に空気調和機２、サーキュレータ３、送風機付加湿器４、送風機付空気清浄機５といった複数の気流制御機器が設置され、各送風機の吹出し口から送出される気流によって人が居住する空間６に風向変化を有する気流環境を生成する。
【非特許文献１】三建設備工業（株）つくば総合研究所研究報告  ２００４年Ｎｏ．１１Ｐ．２１−２６
【特許文献１】特開２００１−３３０２９８号公報
【発明の開示】
【発明が解決しようとする課題】
【０００５】
しかしながら、前記従来の構成では、熱放射にスイングする気流を組み合わせているが、この構成により温度分布の均一化や温冷感を変化させることは可能だが、一定方向からの気流は居住者にとって常に同一方向からの刺激となるため、身体の特定部位の皮膚温低下を招いたり、単調な刺激になることから十分な快適感を与えることができないという課題を有していた。
【０００６】
また別の従来の構成では、複数の環境制御を伴った送風機によって気流を生成し、居住者に自然環境に近い快適性をもたらすものとなっているが、温熱環境を構成する要素としてこれら気流、気温、湿度の他に輻射があり、この輻射に関して制御する機器がないため、室外環境の輻射が室内に強く影響するような場合、快適感を満足し得ない場合も有り得る。
【０００７】
本発明は、前記従来の課題を解決するもので、冷却または加熱されたパネルによって室内空間へ熱放射を行うことによって室内の温度分布の均一化図り、かつ複数の送風機や吹出し口の時系列の風速、風向制御によって風速や風向が変動する気流を発生させることで、居住者の快適感の向上をもたらす空気調和システムを提供することを目的とする。
【課題を解決するための手段】
【０００８】
前記従来の課題を解決するために、本発明の空気調和システムは、室内空間を構成する
面のうち少なくとも一つ以上の面が冷却または加熱される手段を有するパネルから構成され、かつこの室内空間の異なる位置に複数の送風機または複数の吹出し口を持つ送風機が設置され、前記送風機は吹出す気流の風速を可変するための手段を有するものである。
【０００９】
これによって、パネルの熱放射によって室内空間の温熱環境を制御して温度分布の均一化を図ることができ、かつ複数方向から風速が変動する気流が発生して居住者に適度な刺激を与えることができる。
【００１０】
また、本発明の空気調和システムは、送風機から吹出す気流の風向を可変するための手段を有するものである。
【００１１】
これによって、居住者にはより複雑な気流の風向変化による刺激を与えることができる。
【００１２】
また、本発明の空気調和システムは、パネル内部にパイプが埋設され、このパイプ内部に冷却または加熱された冷媒が循環する手段を有するものである。
【００１３】
これによってパネルは直接冷却または加熱され、迅速にパネル温度を制御することができる。
【００１４】
また、本発明の空気調和システムは、パネル内部に空間が設けられ、このパネル内部の空間に冷却または加熱された気流が送られる手段を有するものである。
【００１５】
これによってパネル面を均一に冷却または加熱でき、パネル温度を制御することができる。
【００１６】
また、本発明の空気調和システムは、室内空間を構成する面のうち少なくとも一つ以上の面のパネル内部に空間が設けられ、このパネル内部の空間に冷却または加熱された気流が送られる手段を有し、かつこのパネルの室内空間側は異なる位置に複数の吹出し口を持ち、前記パネルの複数の吹出し口より室内空間に風速が可変する気流が送られる手段を有するものである。
【００１７】
これによって、冷暖房気流と放射の両面から室内気温を迅速に制御でき、さらに室内空間に吹出す気流は一旦パネルを冷却または加熱した後に室内空間に吹出すため、室内気温との差が少ない気流となり、居住者へ穏やかな刺激を与えることができる。
【００１８】
また、本発明の空気調和システムは、複数の空気調和機を有し、前記複数の空気調和機にはそれぞれダクトが接続され、前記ダクトはそれぞれ室内空間に気流を送る少なくとも１つ以上の吹出し口へ通じる経路と、前記室内空間を構成し内部に空間を持つパネルへ気流を送る吹出し口へ通じる経路とに切替える手段を有し、かつ前記複数の空気調和機は吹出す気流の風速をそれぞれ可変する手段を有するものである。
【００１９】
これによって、室内負荷に応じて冷暖房気流により室内気温を居住者の所望の気温にさらに迅速に制御でき、かつダクト経路の切替えにより複数の吹出し口による気流の生成が可能となる。
【発明の効果】
【００２０】
本発明の空気調和システムは、居住者に最適な熱放射と異なる方向から変動する気流を与えることにより、快適で適度な刺激のある環境を提供することができ、居住者の快適感や満足感の向上と、身体の温熱的な環境適応に対する負担の軽減を図ることができる。
【発明を実施するための最良の形態】
【００２１】
第１の発明は、室内空間を構成する面のうち少なくとも一つ以上の面が冷却または加熱される手段を有するパネルから構成され、かつこの室内空間の異なる位置に複数の送風機または複数の吹出し口を持つ送風機が設置され、前記送風機は吹出す気流の風速を可変するための手段を有する空気調和システムであって、パネルの熱放射によって室内空間の温熱環境を制御して温度分布の均一化を図ることができ、かつ複数方向から風速が変動する気流が発生して居住者に適度な刺激を与えることができ、居住者は温度分布の安定した適度な気流による刺激のある環境で、皮膚温低下を招くことなく、身体の環境適応に対する負担が少なく、健康的で積極的な快適感を得ることができる。
【００２２】
第２の発明は、特に、第１の発明の空気調和システムの送風機から吹出す気流の風向を可変するための手段を有することにより、居住者にはより複雑な気流の風向変化による刺激を与えることができ、居住者はさらに複雑な変化を楽しめ、積極的に快適感の向上を図ることができる。
【００２３】
第３の発明は、特に、第１または第２の発明の空気調和システムのパネル内部にパイプが埋設され、このパイプ内部に冷却または加熱された冷媒が循環する手段を有することにより、パネルは直接冷却または加熱され、迅速にパネル温度を制御することができ、居住者に空気調和システムを作動させてから短時間で好みの環境を提供することにより、一層身体への環境適応に対する負担を軽減することができる。
【００２４】
第４の発明は、特に、第１または第２の発明の空気調和システムのパネル内部に空間が設けられ、このパネル内部の空間に冷却または加熱された気流が送られる手段を有することにより、パネル面を均一に冷却または加熱でき、パネル温度を制御することができ、居住者はパネルに接触または近傍でも熱放射のムラがなく一層身体へ穏やかな環境を提供することにより快適感のさらなる向上をもたらすことができる。
【００２５】
第５の発明は、室内空間を構成する面のうち少なくとも一つ以上の面のパネル内部に空間が設けられ、このパネル内部の空間に冷却または加熱された気流が送られる手段を有し、かつこのパネルの室内空間側は異なる位置に複数の吹出し口を持ち、前記パネルの複数の吹出し口より室内空間に風速が可変する気流が送られる手段を有する空気調和システムであって、冷暖房気流と放射の両面から室内気温を迅速に制御でき、さらに室内空間に吹出す気流は一旦パネルを冷却または加熱した後に室内空間に吹出すため、室内気温との差が少ない気流となり、居住者へ穏やかな刺激を与えることができ、居住者の快適感を向上させることができるとともに、システムの構成を簡易化することができるために、コスト削減や施工の簡易化を図ることができる。
【００２６】
第６の発明は、特に、第５の発明の冷却または加熱された気流はまず、パネル内部の空間に送られてパネルを冷却または加熱した後に、任意の吹出し口から室内空間に送られることにより、室内空間に吹出す気流は一旦パネルを冷却または加熱した後に室内空間に吹出すため、室内気温との差が少ない気流となり、居住者へ穏やかな刺激を与えることができ、居住者の快適感を向上させることができるとともに、システムの構成を簡易化することができるために、コスト削減や施工の簡易化を図ることができる。
【００２７】
第７の発明は、複数の空気調和機を有し、前記複数の空気調和機にはそれぞれダクトが接続され、前記ダクトはそれぞれ室内空間に気流を送る少なくとも１つ以上の吹出し口へ通じる経路と、前記室内空間を構成し内部に空間を持つパネルへ気流を送る吹出し口へ通じる経路を有し、前記各経路の内、１つ以上に気流を送ることを選択する手段を有し、かつ前記複数の空気調和機は吹出す気流の風速をそれぞれ可変する手段を有する空気調和シ
ステムであって、室内負荷に応じて冷暖房気流により室内気温を居住者の所望の気温にさらに迅速に制御でき、かつダクト経路の選択により複数の吹出し口による気流の生成が可能なため、より室内の環境制御の自由度が増し、居住者に迅速に快適な環境を提供することができる。
【００２８】
第８の発明は、特に第５〜７のいずれか１つの発明の空気調和システムの複数の吹出し口の風向を可変する手段を有することにより、迅速な温熱環境制御に加えて居住者にはより複雑な気流の風向変化による刺激を与えることができ、居住者はさらに複雑な変化を楽しめ、積極的に快適感の向上を図ることができる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態における空気調和システムが設置された部屋の配置を示す立体構成図である。部屋１において、４面の壁際に設置された空気調和機２、サーキュレータ３、送風機付加湿器４、送風機付空気清浄機５が発生する気流は、居住者の方向に気流が向けられており、居住者に対する水平成分の風向が異なる４つの風向の気流を発生する。空気調和機２は居住者の正面方向、サーキュレータ３は居住者の背面方向、送風機付加湿器４は居住者の左面方向、送風機付空気清浄機５は居住者の右面方向の各風向の気流を発生する。これら４台の端末ははそれぞれ送風機制御手段９と信号線および電源線で結合されており、４台の端末の各送風量は予め記憶された時系列の制御パターンに従って制御され、変動している。また、居住者はリモコン等のコントローラ１０を用いて運転の入／切、風量、風向等の選択ができるようになっている。
【００３１】
また部屋１の天井面１１にはパイプ１２が埋設されており、空気調和機２ｂにより冷却された冷媒がパイプを循環している。これにより、天井面からは冷放射が行われている。この空気調和機２ｂと室内にある空気調和機２はそれぞれ居住者が持つコントローラ１０を用いて任意に温度選択ができるようになっている。
【００３２】
図２は、本発明の第１の実施の形態における空気調和システムの制御装置の制御ブロック図を示すものである。
【００３３】
図２において、２、３、４、５はそれぞれ居住者に対する水平成分の風向が異なる複数の風向の気流を発生するための空気調和機、サーキュレータ、送風機付加湿器、送風機付空気清浄機であり、９は複数の端末の各送風量を時系列に制御する送風機制御手段、１３は各端末の各送風量を時系列に制御する制御パターンを設定する制御パターン設定手段、１４は風向を居住者がコントローラ１０で直接選択するための風向選択手段であり、各端末の各送風量を時系列的に制御することにより、居住者に対する気流の風向、風速を任意に時間変化させることができ、複雑な風速および風向変化特性の気流環境が生成できるように構成されている。
【００３４】
また１５は空気調和機２、２ｂに接続され室内温度を制御するための温度制御手段であり、１６は居住者がコントローラ１０で温度を設定するための温度選択手段であり、これらによって居住者は室内温度を任意に制御できるよう構成されている。
【００３５】
以上のように構成された空気調和システムについて、以下その動作、作用を説明する。
【００３６】
図３は、４方向の風向変化を生成する４台の端末の各送風量を時系列に制御する制御パターンの一例を示す。例えば、空気調和機２から居住者の正面方向への風向の気流を生成
するためには、空気調和機２を運転し所定の送風量に設定し、サーキュレータ３、送風機付加湿器４、送風機付空気清浄機５を停止、または、空気調和機２の気流を妨げない程度にサーキュレータ３、送風機付加湿器４、送風機付空気清浄機５の送風量を最小に低下させる。同じようにして、サーキュレータ３から居住者の背面方向への風向、送風機付加湿器４から居住者の左面方向への風向、送風機付空気清浄機から居住者の右面方向への風向の気流を生成する。それぞれ運転中はモータ回転数の変更等により送風量をさせ、気流の風速は常に変動するようになっている。また、経過時間０〜Ｔ１までの制御パターンを１周期とし、以降同じ制御パターンを繰り返すように制御する。
【００３７】
図４はこれら各送風機の制御パターンによって生成された居住者付近における風向経時変化と一定方向のスイング気流によって生成された居住者付近の風向経時変化を表すものである。この風向経時変化は３次元風速計で実測したものであるが、スイング気流が単調で同一方向からになっているのに対して、第1の実施の形態による気流は複雑に変化している。またこの時の風速変動を同様に図５に示すが、やはり複雑に変化している。本発明の第１の実施の形態の空気調和システムにおいては、平均風速をより小さくなるように設定したが、これは室内に長時間いても快適感が持続するように刺激量を減らしたためである。風速が高いと室内に存在する軽量物が気流によって移動する可能性が考えられるため、居住者の生活の利便性も考慮した設定とした。
【００３８】
図６は本発明の第１の実施の形態の空気調和システムによって生成される室内の垂直温度分布を示すものである。天井面の放射と各送風端末を組み合わせることによって、均一に近い温度分布となっている。
【００３９】
図７には風向変化や輻射により快適感がどのように変化するか、居住者の申告結果の経時変化を示している。風向変化のみの条件１、輻射のみの条件２、風向変化と輻射の組み合わせの条件３を見た時、刺激が少ない輻射のみの条件は時間変化とともに物足りなさから快適感が減少し、風向変化のみの条件では天井輻射温度が高かったため、やはり時間とともに快適感が減少する傾向だった。これらに対して風向変化と輻射を組み合わせた条件は適度な刺激から快適感が持続する結果であった。
【００４０】
また図８には同様に生理量変化の一例として居住者の前額皮膚温の経時変化を示している。風向のみの変化では天井輻射温度により前額の皮膚温がやや上昇した。輻射のみの条件や風向変化と輻射を組み合わせた条件では皮膚温は一定であった。また参考として輻射に一方向からのスイング気流を組み合わせた条件４の皮膚温変化も示すが、この場合、気流が直接当たる前額の皮膚温低下が見られた。また図示しないが、一方向からのスイング気流は他にも手背、足背といった気流が当たる部位で徐々に皮膚温低下が見られ、風向変化のある条件１や３はこれらの部位では皮膚温低下はなかった。これは刺激が連続しないため、皮膚温の低下までには至らないためである。しかしながら常に身体のいずれかの部位に複雑で穏やかな刺激があるために快適感の向上が図られている。
【００４１】
このように本発明の第１の実施の形態の空気調和システムによって生成される環境は居住者にとって快適感の向上と身体への温熱的な負担の軽減をもたらすことができ、しかもほどよい穏やかな刺激が継続することから満足感も得られる。
【００４２】
なお、第１の実施の形態では複数の送風端末と天井面の冷却による空気調和システムを例に挙げたが、図９に示すように送風端末１７がダクト１８等の接続により１台で複数の吹出し口１９ａ、１９ｂ、１９ｃを持ち、このダクト１８内のダンパあるいはシャッタ２０の開閉により吹出し口の風速をそれぞれ制御するようなシステムや、図１０に示すように複数の送風端末１７ａ、１７ｂが同一面に設置されていて、それぞれの端末が吹出し風向を変化させることにより風向の異なる気流を送ることが可能なシステムも考えられる。
（実施の形態２）
図１１は、本発明の第２の実施の形態の空気調和システムの断面図である。部屋１において、２面の壁際の上方に設置されたサーキュレータ３ａ、３ｂが発生する気流は居住者の方向に気流が向けられており、居住者に対する風向が異なる２つの気流を発生する。これらのサーキュレータはそれぞれ送風機制御手段９と信号線、電源線で結合されており、予め記憶された時系列の制御パターンに従って制御され、変動している。また居住者はコントローラ１０を用いて運転入／切、風量、風向等の選択ができるようになっている。
【００４３】
また部屋１の床面２１には空間２２が設けられ、空気調和機２ｃにより加熱された空気が吹出されている。これにより床面は床暖房状態となっている。また床面の一部には複数の吹出し口２３ａ、２３ｂが設けられ、これら吹出し口により暖気流が室内に吹出している。吹出し口には風量や風向を調節するための開閉部２４ａ、２４ｂがそれぞれ設けられている。この時、居住者はやはりコントローラ１０を用いて床面の温度や吹出し風量、風向等を任意に選択できるようになっている。この時の制御や動作は第１の実施の形態に準じるため説明は割愛する。
【００４４】
図１２には本発明の第２の実施の形態の空気調和システムによって生成される室内の垂直温度分布を示すものである。居住者上方の温度より床面付近が温かく、頭寒足熱状態となっている。これはサーキュレータ３ａ、３ｂによる気流が室内を攪拌し、温度ムラの発生を軽減させたためである。しかも複数の風向からの穏やかな暖気を伴った気流は、常に同じ方向から気流を浴びるより刺激が少なく、長時間室内にいても苦痛とならない。
【００４５】
一般に床暖房単独でも頭寒足熱状態の環境を生成して快適であると言われている一方、床暖房単独では部屋全体を暖めるのに時間がかかることも知られている。本発明の第２の実施の形態の空気調和システムではこの欠点を補い、室温を迅速に上昇させて頭寒足熱環境を生成することによって、居住者の快適感を早く満足させることができる。また床面や上方から穏やかな気流が流れることにより皮膚温の著しい低下を招くことはなく、さらに室内の澱みがなくなり温度分布を均一にできる。
【００４６】
また、本実施の形態の、部屋の床面に設けられた空間を埋設されたパイプとし、パイプ内部に加熱された空気を送り出して、床面を床暖房状態としても同様の効果が得られる。
【００４７】
また、本実施の形態の構成を、加熱された気流がまず、部屋の床面に設けられた空間に送られて床面を加熱して床暖房状態とした後に、任意の吹出し口から室内空間に送られるような構成にすることにより、室内空間に吹出す気流は一旦床面を加熱した後に室内空間に吹出すため、室内気温との差が少ない気流となり、居住者へ穏やかな刺激を与えることができ、居住者の快適感を向上させることができるとともに、システムの構成を簡易化することができるために、コスト削減や施工の簡易化を図ることができる。
（実施の形態３）
図１３は、本発明の第３の実施の形態の空気調和システムの断面図である。部屋１の構成する一つの壁面２５ａには空間２２ａが設けられ、空気調和機２ｄによりダクト１８ａを通じて冷却された空気が吹出して、壁面全体が冷やされ、室内に冷放射を行っている。
【００４８】
さらに同様に部屋１を構成するもう一つの壁面２５ｂには空間２２ｂが設けられ、空気調和機２ｅによりダクト１８ｂを通じて冷却された空気が吹出して、壁面全体が冷やされ、室内に冷放射を行っている。また空気調和機２ｄに接続されたダクト１８ａはダンパ２０ａの制御により壁面２５ａの空間２２ａに吹出す経路と、壁面２５ａの室内側に設けられた吹出し口２３ｃに吹出す経路に切替えることが可能である。空気調和機２ｅに接続されたダクト１８ｂも同様にダンパ２０ｂの制御により壁面２５ｂの空間２２ｂに吹出す経路と、壁面２５ｂの室内側に設けられた吹出し口２３ｄに吹出す経路に切替えることが可
能である。吹出し口２３ｃ、２３ｄにはそれぞれ風速や風向を変化させることのできる開閉部２４ｃ、２４ｄが設けられている。これらシステムは信号線や電源で結合されており、居住者はコントローラ１０を用いて運転の入／切、温度、風量、風向等の選択ができるようになっている。
【００４９】
図１４は本発明の第３の実施の形態における空気調和システムの制御装置の制御ブロック図を示すものである。図１４において、２６は室内に吹出す風量を選択する風量選択手段、２７はダンパ２０の切替え制御を行うダンパ制御手段である。
【００５０】
以上のように構成された空気調和システムについて、以下その動作、作用を説明する。例えば夏季などで部屋を冷却したい場合、居住者はコントローラ１０で所望の温度、風量、風向を選択する。コントローラ１０から送られた信号は、空気調和システムの温度制御手段１５、送風制御パターン設定手段１３へ送られ、例えば室温と設定温に大きな差が生じていればダンパ制御手段２７は冷却された空気が室内側への吹出し口２３へ通じるようダンパ制御を行う。またこの際、送風制御パターン設定手段１３は居住者に気流の風速、風向変化が与えられるよう、空気調和機２ｄの送風機と空気調和機２ｅの送風機の各送風量を時系列に制御するとともに開閉部２４ｃ、２４ｄを同様に時系列に制御するための信号を送風機制御手段９へ送る。そして例えば室温と設定温が近くなれば、ダンパ制御手段２７は冷却された気流を壁面２５内の空間２２にも送るようにダンパ２０の制御を行う。このような状態では吹出し口２３からの風量は若干低下するが、壁面からの冷放射があるために居住者は満足感を得ることができる。また完全に放射に切替えることも可能だが、その場合でも居住者がコントローラ１０により気流の要求をすれば、ダンパ２０を再度制御して吹出し口２３から気流を送ることができる。冷放射を行いながら気流も送られる場合、部屋の温度分布は均一になり、気流が様々な方向から穏やかに流れるため居住者は単調ではなく積極的な快適感を得ることが可能である。また単独の空気調和機２ｄ、２ｅで放射と室内送風が可能で、システム全体が壁面２５内に収まるため、サーキュレータ３を別に取り付けた場合などと比較してシステム全体の構成が簡易となり、美観上も優れている。
【００５１】
また、本実施の形態の、一つの壁面に設けられた空間を埋設されたパイプとし、パイプ内部に冷却された空気を送り出しても、壁面全体が冷やされ、室内に冷放射を行うという同様の効果が得られる。
【００５２】
また、本実施の形態の構成を、冷却された気流がまず、一つの壁面に設けられた空間に送られて壁面全体を冷やした後に、更に壁面の室内側に設けられた吹出し口から室内空間に送られるような構成にすることにより、室内空間に吹出す気流は一旦壁面全体を冷やした後に室内空間に吹出すため、室内気温との差が少ない気流となり、居住者へ穏やかな刺激を与えることができ、居住者の快適感を向上させることができるとともに、システムの構成を簡易化することができるために、コスト削減や施工の簡易化を図ることができる。
【産業上の利用可能性】
【００５３】
以上のように、本発明にかかる空気調和システムは、室内において均一な温度分布と複雑な気流環境を形成するとともに、居住者に応じてより快適な環境の形成が可能となるので、住宅の空気調和システムだけでなくオフィスや店舗等の空気調和システムの用途にも適用できる。また、本発明にかかる空気調和システムを構成する複数の送風機は、居住空間への送風機能を有するものであれば特に限定するものではなく、実施の形態で挙げたエアコン、空気清浄機、サーキュレータ、加湿器、ダクトの他扇風機、除湿機等の既存の送風機器を連携制御する空気調和システムにも応用展開が可能である。
【図面の簡単な説明】
【００５４】
【図１】本発明の実施の形態１における空気調和システムが設置された部屋の立体構成図
【図２】本発明の実施の形態１における空気調和システムの制御装置の制御ブロック図
【図３】本発明の実施の形態１における空気調和システムの各端末の制御パターンの一例を示す図
【図４】本発明の実施の形態１における空気調和システムによって生成された水平成分の風向経時変化と従来例の水平成分の風向経時変化を示す図
【図５】本発明の実施の形態１における空気調和システムによって生成された風速経時変化と従来例の風速経時変化を示す図
【図６】本発明の第１の実施の形態の空気調和システムによって生成される室内の垂直温度分布を示す図
【図７】従来例と本発明の実施の形態１における空気調和システムの快適性比較を示す図
【図８】従来例と本発明の実施の形態１における空気調和システムの皮膚温比較を示す図
【図９】本発明の実施の形態１の吹出し口の別の例を示す平面図
【図１０】本発明の実施の形態１の送風端末の設置の別の例を示す平面図
【図１１】本発明の実施の形態２における空気調和システムの断面図
【図１２】本発明の第２の実施の形態の空気調和システムによって生成される室内の垂直温度分布を示す図
【図１３】本発明の実施の形態３における空気調和システムの断面図
【図１４】本発明の実施の形態３における空気調和システムの制御装置の制御ブロック図
【図１５】従来の放射システムの立体構成図
【図１６】従来の送風システムの立体構成図
【符号の説明】
【００５５】
１  部屋
２  空気調和機
３  サーキュレータ
４  送風機付加湿器
５  送風機付清浄機
６  居住空間
７  天井放射パネル
８  スイング式吹出し口
９  送風機制御手段
１０  コントローラ
１１  天井面
１２  パイプ
１３  制御パターン設定手段
１４  風向選択手段
１５  温度制御手段
１６  温度選択手段
１７  送風端末
１８  ダクト
１９  ダクト吹出し口
２０  ダンパまたはシャッタ
２１  床面
２２  空間
２３  吹出し口
２４  開閉部
２５  壁面
２６  風量選択手段
２７  ダンパ制御手段
【図１】
2007085660.tif 000003
【図２】
2007085660.tif 000004
【図３】
2007085660.tif 000005
【図４】
2007085660.tif 000006
【図５】
2007085660.tif 000007
【図６】
2007085660.tif 000008
【図７】
2007085660.tif 000009
【図８】
2007085660.tif 000010
【図９】
2007085660.tif 000011
【図１０】
2007085660.tif 000012
【図１１】
2007085660.tif 000013
【図１２】
2007085660.tif 000014
【図１３】
2007085660.tif 000015
【図１４】
2007085660.tif 000016
【図１５】
2007085660.tif 000017
【図１６】
2007085660.tif 000018